(57)【特許請求の範囲】
【請求項１】
前端と後端とを有する縦長で且つ両側縁部からウイング部が突出している生理用ナプキンと、前記生理用ナプキンの表面に折り重ねられた前記ウイング部の感圧接着剤層を覆う離型シートと、前記生理用ナプキンの裏面の感圧接着剤層を覆う剥離処理部を有する包装シートとが設けられ、前記包装シートの上に生理用ナプキンと離型シートが重ねられて、前記包装シートが外側に向くように折り畳まれている衛生用製品において、
前記包装シートには、生理用ナプキンの後端よりも突出している後方突出部分が設けられており、
前記包装シートと生理用ナプキンが第１の折り部で折られて、前記後方突出部分が離型シートの外面に重ねられて第１の折り畳み部が形成されると共に、前記ウイング部の感圧接着剤層よりも後方へ離れた位置で、包装シートの前記後方突出部分が前記離型シートの外面に接着されて接着部が形成され、
前記第１の折り畳み部での生理用ナプキンの後端と前記接着部との間に位置する第２の折り部によって、この第２の折り部と前記第１の折り部との間の部分が、生理用ナプキンの表面側に重なるように折られて、第２の折り畳み部が形成されており、
さらに、生理用ナプキンの前端と包装シートの前縁が、前記第２の折り畳み部の外面に重ねられて、包装シートの両側部がシールされていることを特徴とする衛生用製品。
【請求項２】
前記包装シートは、前記剥離処理部を有する面が内面で、これと逆側の面が外面であり、前記包装シートの前記後方突出部分の内面が前記離型シートの外面に接着されている請求項１記載の衛生用製品。
【発明の詳細な説明】
【０００１】
【発明の属する技術分野】
本発明は、生理用ナプキンが折畳まれた状態で包装シートで包まれている衛生用製品に係り、特にウイング部の外面を覆う離型シートが設けられた衛生用製品に関する。
【０００２】
【従来の技術】
生理用ナプキンは、衛生性を確保するために１つずつ包装シートで包装されている。この衛生用製品では、縦長の生理用ナプキンが、３つ重ねまたは４つ重ねに折畳まれて、樹脂フィルムなどで形成された包装シートにより包まれている。
【０００３】
図９は従来の衛生用製品の折り畳み構造の一例を示す斜視図である。
図９に示す衛生用品１０は生理用ナプキン１が包まれている。生理用ナプキン１の両側縁部にはウイング部２，２が突出形成されており、このウイング部２，２の外面にそれぞれ感圧接着剤層３，３が設けられている。また、生理用ナプキン１の裏面にも感圧接着剤層４，４が設けられている。図９（Ｃ）に示すように、前記ウイング部２，２が生理用ナプキン１の表面側に折り重ねられるように畳まれた状態で、前記感圧接着剤層４，４が離型シート５で覆われている。
【０００４】
包装シート６の上に前記生理用ナプキン１と離型シート５とが重ねられ、このとき包装シート６に設けられた剥離処理層の上に生理用ナプキン１の感圧接着剤層４，４が接着される。このように積層された状態で、これらが第１の折り部８ａで折られて図９（Ｃ）の状態となる。次に第２の折り部８ｂで折られて図９（Ｂ）の状態となる。このとき、離型シート５の前部に塗布された接着剤７により、包装シート６の外面と前記離型シート５の外面とが接着される。
【０００５】
さらに、先部側が第３の折り部８ｃで折られて、図９（Ａ）に示すように包装シート６が外面に現れる状態に折畳まれる。そして、包装シート６の両側部が、ヒートエンボスによるシール部９，９で封止され、さらに包装シート６の前端がリードテープ１１で止められる。
【０００６】
この衛生用製品１０を開封するときには、リードテープ１１を剥がし、シール部９，９の部分で包装シート６を分離させながら、前記折り部８ｃと８ｂを展開させる。このとき、包装シート６と離型シート５とが接着剤７で接着されているため、図１０の状態に開封されたときに、離型シート５が包装シート６と共に展開して、離型シート５が、ウイング部２，２に設けられた感圧接着剤層３，３から剥離される。さらに、折り部８ａの部分で展開させ、生理用ナプキン１の裏面に設けられた感圧接着剤層４，４を包装シート６の剥離処理部から除去する。
【０００７】
【発明が解決しようとする課題】
前記従来の衛生用製品１０では、開封時に図１０の状態に展開した時点で、離型シート５が生理用ナプキン１から離れてしまう。そのため、ウイング部２，２の外面に設けられた感圧接着剤層３，３が開封のときの早い段階で露出することになる。そのため、その後の開封操作のときに、感圧接着剤層３，３が手や衣服に接着されて生理用ナプキン１を着用しにくくなり、また感圧接着剤層３，３の接着力が低下して、ショーツのクロッチ部に設置するときに、ウイング部２，２をショーツの外面に確実に接着できない不安が生じる。
【０００８】
また、図１０に示すように、開封し始めているときに、生理用ナプキン１の受液側の表面が露出するため、この表面に手などが触れる確率が高くなり、清潔性を保ちにくくなる。
【０００９】
本発明は上記従来の課題を解決するものであり、開封する際に、生理用ナプキンのウイング部の感圧接着剤や受液側の表面が早い時期に露出しないようにして、着用時の取り扱いを容易にし且つ清潔性を保つことができるようにし、さらに、生理用ナプキンを包装シートおよび離型シートから簡単に離脱させることができる衛生用製品を提供することを目的としている。
【００１０】
【課題を解決するための手段】
本発明は、前端と後端とを有する縦長で且つ両側縁部からウイング部が突出している生理用ナプキンと、前記生理用ナプキンの表面に折り重ねられた前記ウイング部の感圧接着剤層を覆う離型シートと、前記生理用ナプキンの裏面の感圧接着剤層を覆う剥離処理部を有する包装シートとが設けられ、前記包装シートの上に生理用ナプキンと離型シートが重ねられて、前記包装シートが外側に向くように折り畳まれている衛生用製品において、
前記包装シートには、生理用ナプキンの後端よりも突出している後方突出部分が設けられており、
前記包装シートと生理用ナプキンが第１の折り部で折られて、前記後方突出部分が離型シートの外面に重ねられて第１の折り畳み部が形成されると共に、前記ウイング部の感圧接着剤層よりも後方へ離れた位置で、包装シートの前記後方突出部分が前記離型シートの外面に接着されて接着部が形成され、
前記第１の折り畳み部での生理用ナプキンの後端と前記接着部との間に位置する第２の折り部によって、この第２の折り部と前記第１の折り部との間の部分が、生理用ナプキンの表面側に重なるように折られて、第２の折り畳み部が形成されており、
さらに、生理用ナプキンの前端と包装シートの前縁が、前記第２の折り畳み部の外面に重ねられて、包装シートの両側部がシールされていることを特徴とするものである。
【００１１】
この衛生用製品では、離型シートと包装シートとを固定している接着部が、ウイング部の接着剤層よりも後方に位置しているため、開封時に途中まで展開させた時点で、離型シートが前記接着剤層から剥がれにくくなる。したがって、早い時点でウイング部の前記接着剤層が露出することがない。また生理用ナプキンの受液側の表面も早い時期に露出することがない。また、離型シートと包装シートとが接着剤で連結されているため、生理用ナプキンの裏面から包装シートを剥がすときに、包装シートと離型シートとを一緒に生理用ナプキンから分離でき、開封そのものも容易である。
【００１２】
また、前記包装シートは、前記剥離処理部を有する面が内面で、これと逆側の面が外面であり、前記包装シートの前記後方突出部分の内面が前記離型シートの外面に接着されていることが好ましい。
【００１３】
離型シートの外面に包装シートの内面を接着すると、離型シートの外面に包装シートの外面を接着した場合に比べて、前記接着部を前記ウイング部の感圧接着剤層から離れた位置に設けやすくなる。よって、開封時に展開するときに、離型シートに無理な剥離力が作用しにくくなり、離型シートが、ウイング部に設けられた接着剤層を覆う状態を長く維持しやすい。
【００１５】
前記のように、３箇所の折り部により折畳むことにより、衛生用製品を小さな形状にでき、携帯に適したものとなる。
【００１６】
【発明の実施の形態】
図１は本発明の衛生用製品の一実施の形態を示すものであり、開封前の状態を示す斜視図である。図２ないし図６は折り畳み手順を説明するものであり、図２は包装シートの上に生理用ナプキンが設置された状態を示す斜視図、図３はその平面図、図４は生理用ナプキンに離型シートを重ねた状態を示す平面図、図５（Ａ）（Ｂ）（Ｃ）および図６（Ａ）（Ｂ）は、折り畳み工程を示す斜視図である。図７は開封操作を示す斜視図、図８はさらに開封を進めた状態を示す断面図である。
【００１７】
図１に示す衛生用製品１５は、生理用ナプキン２０が包装シート４０と共に折り畳まれ、包装シート４０が外側に現れるように包装されたものである。
【００１８】
生理用ナプキン２０は縦長形状であり、図８の断面図に示すように、液不透過性の裏面シート２１の上に液吸収層２２が設置され、その表面が液透過性の表面シート２３で覆われている。液吸収層２２は、長円形状または砂時計形状であり、液吸収層２２の外側の外周部２４において、前記裏面シート２１と表面シート２３とがホットメルト型接着剤などで接着固定されている。
【００１９】
また、前記表面シート２３と前記液吸収層２２とが熱エンボス処理により加圧されて加圧溝２５が形成されており、生理用ナプキン２０の表面では、前記加圧溝２５で囲まれた部分に、隆起部２６が形成されている。この生理用ナプキン２０が女性の股間部に装着されるときに、前記隆起部２６が性器に密着するようになる。
【００２０】
生理用ナプキン２０は前端２７と後端２８を有している。図２では右側に前端２７が向けられており、図３と図４では前端２７が図の上方へ向けられ、図５、図６、図７および図８では、前端２７が図の左側に向けられた状態でそれぞれ図示されている。
【００２１】
図２および図３に示すように、生理用ナプキン２０の前方部分には、両側縁部から左右両側へ突出するウイング部２９，２９が一体に形成されており、このウイング部２９，２９の外面には、それぞれ第１の感圧接着剤層３１，３１が設けられている。また、生理用ナプキン２０の後方部分では、両側縁部が左右両側に広がって後部フラップ部３２，３２が形成されている。この後部フラップ部３２，３２の外面には、それぞれ第２の感圧接着剤層３３，３３が設けられている。
【００２２】
図３に示すように、生理用ナプキン２０の裏面には、中央部分にて縦方向に延びる２つの帯状に形成された第３の感圧接着剤層３４，３４が設けられている。
【００２３】
この生理用ナプキン２０は、就寝時に着用するのに適したものであり、前記第３の感圧接着剤層３４，３４を、ショーツのクロッチ部の内面に接着させ、また後部フラップ部３２，３２を左右両側に広げた状態で、第２の感圧接着剤層３３，３３を介してショーツの内面に接着させる。そして、前記ウイング部２９，２９をショーツのクロッチ部の両側縁部の部分から外面側に折り返し、ウイング部２９，２９を前記第１の感圧接着剤層３１，３１によりショーツの外面に接着する。
【００２４】
これにより、生理用ナプキン２０はショーツのクロッチ部に位置ずれすることなく設置され、また後部フラップ３２，３２を有する後方部分が臀部の下方を広く覆うようになり、後方への経血の漏れを防止しやすくなる。
【００２５】
生理用ナプキン２０の裏面シート２１は、ポリエチレン（ＰＥ）、ポリプロピレン（ＰＰ）、エチレン・酢酸ビニル共重合体（ＥＶＡ）などを原料とした高分子樹脂フィルムで、好ましくはフィラーを添加して延伸させて微細な孔を形成した透湿性フィルムが使用される。
【００２６】
液吸収層２２は、粉砕パルプに高吸収性ポリマーが混合されたもの、高吸収性ポリマーがセルロースシートで包まれたもの、あるいは、セルロースファイバーをシート状にしたものなどで形成されている。
【００２７】
前記表面シート２３は、親水処理された合成繊維で形成された不織布、多数の液透過孔が形成された合成樹脂フィルムなどで形成されている。
【００２８】
また、前記第１の感圧接着剤層３１，３１、第２の感圧接着剤層３３，３３および第３の感圧接着剤層３４，３４は、それぞれホットメルト型の感圧接着剤などで形成されている。
【００２９】
前記包装シート４０は熱融着可能なものであり、ポリエチレン（ＰＥ）などの熱可塑性樹脂で形成されたフィルム、あるいはポリプロピレン（ＰＰ）やポリエステル（ＰＥＴ）などの熱可塑性の合成繊維で形成されたスパンボンド不織布である。または、ＰＰやＰＥＴなどの熱可塑性樹脂繊維で形成されたスパンボンド不織布と、ＰＰやＰＥＴなどの熱可塑性樹脂繊維で形成されたメルトブロン不織布とが、スパンボンド不織布／メルトブロン不織布／スパンボンド不織布の順に積層された積層シートなどである。
【００３０】
包装シート４０は、前縁４３、後縁４４、および左右の両側縁４５，４５を有する長方形であり、生理用ナプキン２０が設置される側が内面４１であり、それと逆側で図１に示す包装状態の外面に現れるのが外面４２である。
【００３１】
図２に示すように、包装シート４０の内面４１の中央部分には、剥離処理部４６が設けられている。この剥離処理部４６は、包装シート４１の内面４１の中央部分に離型シート４７が接着されることにより形成されている。離型シート４７は、紙材または、紙材と樹脂層とのラミネートシート、あるいは樹脂シートなどであり、その表面４８にはシリコン樹脂などの剥離処理剤が塗布されている。裏面４９は剥離処理されておらず、この裏面４９が前記包装シート４０の内面４１に接着剤で固定されている。
【００３２】
ただし、本明細書での剥離処理部４６は、包装シート４０の内面にて第３の感圧接着剤層３４が容易に剥がれるように処理されたものであればどのような構成であってもよい。例えば、樹脂シートで形成された包装シート４０の内面４１の少なくとも中央部分に前記剥離処理剤が塗布されたもの、または紙材と樹脂層とのラミネートシートの場合には、前記内面４１に現れる前記樹脂層の表面に剥離処理剤が塗布されたものなどで形成できる。
【００３３】
図４などに示すように、生理用ナプキン２０の表面側には離型シート５０が重ねられている。離型シート５０は、生理用ナプキン２０に向けられる内面５１が剥離処理面であり、外側に向けられる外面５２には剥離処理が施されていない。離型シート５０は縦長の長方形であり、前縁５３と後縁５４、および両側縁５５，５５を有している。
【００３４】
次に、前記包装シート４０と前記生理用ナプキン２０および離型シート５０を折畳んで前記衛生用製品１５を形成するための手順を説明する。
【００３５】
なお、実際の衛生用製品１５の製造過程では、包装シート４０はＸ方向に連続して延びる帯状のものであり、この帯状の包装シート４０の上に生理用ナプキン２０がＸ方向に間隔を開けて設置され、複数の生理用ナプキン２０が包装シート４０と共に順番に折り畳まれて行く。そして、折り畳みが完了した後に、Ｘ方向へ並んでいる生理用ナプキンの中間で包装シート４０がシールされて側方シール部７８が形成される。さらに側方シール部７８の部分で包装シート４０が切断されて、個々の衛生用製品１５に分離される。しかし、以下においては、便宜上、１つの生理用ナプキン２０が包装シート４０で包装される過程を説明する。
【００３６】
図３に示すように、包装シート４０の内面４１に生理用ナプキン２０が設置される。このとき、生理用ナプキン２０の裏面に設けられた第３の感圧接着剤層３４，３４が、包装シート４０の内面４１に接着固定されている離型シート４７の表面４８に接着される。
【００３７】
次に、図２に示すように、生理用ナプキン２０のウイング部２９，２９が表面シート２３に重ねられるように折り曲げられ、また後部フラップ部３２，３２も表面シート２３に重ねられるように折り曲げられる。この時点で、ウイング部２９，２９に設けられた第１の感圧接着剤層３１，３１と、後部フラップ部３２，３２に設けられた第２の感圧接着剤層３３，３３が外向きに現れる。
【００３８】
図４および図５（Ａ）に示すように、生理用ナプキン２０の上に離型シート５０が設置される。離型シート５０は、剥離処理面である内面５２が生理用ナプキン２０に向けられ、前記内面５２が、第１の感圧接着剤層３１，３１と第２の感圧接着剤層３３，３３に接着される。この実施の形態では、離型シート５０の前縁５３と後縁５４および両側縁５５，５５が生理用ナプキン２０からはみ出ないように設置される。
【００３９】
図４に示すように、前記生理用ナプキン２０の前記前端２７の近傍に位置する前記包装シート４４の前部には、包装シート４０の前縁４３が生理用ナプキン２０の前端２７を越えて前方へ所定長突出して前方突出部分６１が形成されている。また、前記生理用ナプキン２０の前記後端２８の近傍に位置する前記包装シート４４の後部には、包装シート４０の後縁４４が生理用ナプキン２０の後端２８を越えて所定長後方へ突出して後方突出部分６２が形成されている。さらに、包装シート４０の両側縁４５，４５も生理用ナプキン２０の左右両側縁部を越えて両側へ少し突出して側方突出部分６３，６３が形成されている。
【００４０】
図４および図５（Ａ）のように、包装シート４０の上に生理用ナプキン２０と離型シート５０とが重ねられた状態で、その積層体が折畳まれる。
【００４１】
まず、図５（Ａ）に示すように、生理用ナプキン２０の後方部分で且つ第２の感圧接着剤層３３，３３よりもやや前方部分で、幅方向に延びる第１の折り部７１で折られ、それよりも後方部分の包装シート４０と生理用ナプキン２０および離型シート５０が、離型シート５０の外面５２に重ねられて、図５（Ｂ）に示す第１の折り畳み部７２が形成される。
【００４２】
このとき、第１の感圧接着剤層３１，３１よりも後方部分において、離型シート５０の外面５２にホットメルト型などの接着剤７３が塗布される。そして、第１の折り畳み部７２が形成される際に、前記後方突出部分６２における包装シート４０の内面４１が前記接着剤７３を介して離型シート５０の外面５２に接着固定されて、接着部７３ａが形成される。離型シート５０の外面５２に、包装シート４０の内面４１を接着するように構成すると、離型シート５０の外面５２に包装シート４０の外面４２を接着した場合に比べて、前記接着部７３ａを前記第１の感圧接着剤層３１，３１から離れた位置に設けることができる。
【００４３】
図５（Ｂ）の状態において、前記接着部７３ａと生理用ナプキン２０の後端２８との中間部分に位置する第２の折り部７４で折られ、前記第１の折り畳み部７２が離型シート５０の外面５２の上に重ねられるように折畳まれて、図５（Ｃ）に示す第２の折り畳み部７５が形成される。このとき、包装シート４０の後方突出部分６２の先部が折り片６２ａとなって、図５（Ｃ）に示すように前記折り片６２ａが離型シート５０の外面５２上に対面した状態となる。
【００４４】
さらに、第１の感圧接着剤層３１，３１よりも前方で且つ離型シート５０の前縁５３よりも前方部分に位置する第３の折り部７６で折られて、生理用ナプキン２０および包装シート４０の前方部分が折り畳まれる。このとき、生理用ナプキン２０の前端２７と包装シート４０の前縁４３が、第２の折り畳み部７５を形成している包装シート４０の外面４２に重ねられる。その結果、図６（Ａ）に示すように、生理用ナプキン２０が３つの折り線で折られた状態で、外側が包装シート４０で覆われた折り畳み体７７が形成される。
【００４５】
図６（Ｂ）に示すように、前記折り畳み体７７において、生理用ナプキン２０の両側縁部から突出する包装シート４０の側方突出部分６３，６３が、複数枚重ねられた状態でヒートエンボスシールなどで溶着されて、側方シール部７８，７８が形成され、包装シート４０の内部が封止される。さらに、包装シート４０の前縁４３を挟んで、包装シート４０の外面４２にリードテープ８１が接着されて、衛生用製品１５が完成する。
【００４６】
この衛生用製品では、図５（Ｂ）に示すように、包装シート４０の内面４１と離型シート５０の外面５２とが接着剤７３で接着されて接着部７３ａが形成されるが、この接着部７３ａは前記のように第１の感圧接着剤層３１，３１よりも後方位置で、第２の折り部７４に接近した位置に設けられる。すなわち、前記接着部７３ａは、第２の折り部７４と第３の折り部７６との間に位置し、且つ第２の折り部７４と第３の折り部７６との間隔を二分する中間位置よりも第２の折り部７４に接近した位置に設けられている。
【００４７】
次に、図１および図６（Ｂ）に示す衛生用製品１５を開封する際の最も好ましい手順を説明する。
【００４８】
図６（Ｂ）に示す向きの衛生用製品１５において、リードテープ８１を剥がして、包装シート４０の前縁４３を引き剥がし、前記側方シール部７８，７８における包装シート４０どうしのシールを解除しながら、包装シート４０および生理用ナプキン２０を展開する。図７は、第３の折り部７６での折りが解消されて、包装シート４０および生理用ナプキン２０の前方部分が展開された後に、さらに第２の折り部７４での折りが解消されて、第１の折り畳み部７２が離型シート５０の外面５２から離された状態を示している。
【００４９】
前記のように、包装シート４０と離型シート５０とを接着固定している接着部７３ａは、第１の感圧接着剤層３１，３１から後方へ離れた位置で且つ第２の折り部７４に接近した位置に設けられている。そのため、図７の状態まで開封した時点で、離型シート５０が第１の感圧接着剤層３１，３１から剥がされることがない。すなわち、離型シート５０の外面５２に包装シート４０の外面４２を接着する場合よりも、前記接着部７３ａを前記第１の感圧接着剤層３１，３１から離れた位置に設けることができるため、前記離型シート５０が、前記第１の感圧接着剤層３１，３１を覆う状態を長く維持できる。
【００５０】
特に、包装シート４０には第２の折り部７４で折られた折り片６２ａが設けられ、この折り片６２ａにおいて、包装シート４０の内面４１が離型シート５０の外面５２に接着されている。そのため、図７のように展開された状態で、離型シート５０に大きな剥離力が作用せず、前記折り片６２ａが離型シート５０の外面５２に対面した状態を維持できる。
【００５１】
図７の状態で、第１の感圧接着剤層３１，３１が離型シート５０で覆われているため、第１の感圧接着剤層３１，３１が不用意に手や衣類に接することがない。また表面シート２３も離型シート５０に覆われているため、表面シート２３に指が触れることがなく、生理用ナプキン２０の表面を清潔な状態に保つことができる。
【００５２】
その後の好ましい開封手順は、図７の状態で、生理用ナプキン２０の前端２７と包装シート４０の前縁４３を掴み、包装シート４０を前縁４３側から後方（図示（ｉ）方向）に向けて生理用ナプキン２０の裏面から剥がしていく。このとき、包装シート４０の内面４１に設けられた離型シート４７が、生理用ナプキン２０の裏面の第３の感圧接着剤層３４，３４から剥がされる。
【００５３】
図８は、側方シール部７８，７８でのシールが解除されて、包装シート４０がほぼ平面状態となるまで剥がされた状態を示している。この時点で、包装シート４０と離型シート５０の外面５２とが、前記接着部７３ａで接着固定されている。したがって、図８の状態から生理用ナプキン２０の前端２７を持ちながら、さらに包装シート４０を引き上げれば、包装シート４０が第３の感圧接着剤層３４，３４から剥がされ、さらに接着部７３ａを介して包装シート４０に連結されている離型シート５０が、第１の感圧接着剤層３１，３１および第２の感圧接着剤層３３，３３から剥がされる。その結果、生理用ナプキン２０が、包装シート４０と離型シート５０から分離される。
【００５４】
このように、包装シート４０と離型シート５０とが連結された状態で、これらから生理用ナプキン２０を容易に分離することができ、また図８に示すように、開封操作の最終段階まで、第１の感圧接着剤層３１，３１と第２の感圧接着剤層３３，３３が露出するのを防止でき、また表面シート２３が露出するのを防止できる。
【００５６】
【発明の効果】
以上のように本発明によれば、包装シートと生理用ナプキンの折り畳みを解消して展開して開封する際に、その最初の時点でウイング部に設けられた感圧接着剤層が露出することがないため、この感圧接着剤層が手や衣類に不用意に触れるのを防止できる。また生理用ナプキンの表面が離型シートに覆われた状態に維持されるため、清潔である。
【００５７】
また、包装シートと離型シートとが連結されているため、包装シートと離型シートを一体的に生理用ナプキンから剥がすことができ、開封が容易となる。
【図面の簡単な説明】
【図１】本発明の一実施の形態の衛生用製品を示す斜視図、
【図２】包装シートに生理用ナプキンが設置された状態を示す斜視図、
【図３】包装シートに生理用ナプキンが設置された状態を示す平面図、
【図４】生理用ナプキンのウイング部と後部フラップ部が折畳まれた状態を示す平面図、
【図５】（Ａ）（Ｂ）（Ｃ）は、包装シートと生理用ナプキンおよび離型シートが折畳まれる過程を順に示す斜視図、
【図６】（Ａ）（Ｂ）はさらに折畳まれる過程を順に示す斜視図、
【図７】衛生用製品を開封する途中の状態を示す斜視図、
【図８】衛生用製品をさらに開封する状態を示す断面図、
【図９】（Ａ）（Ｂ）（Ｃ）は従来の衛生用製品が折畳まれる過程を示す斜視図、
【図１０】従来の衛生用製品を開封する途中の状態を示す斜視図、
【符号の説明】
１５  衛生用製品
２０  生理用ナプキン
２１  裏面シート
２２  液吸収層
２３  表面シート
２７  生理用ナプキンの前端
２８  生理用ナプキンの後端
２９  ウイング部
３１  第１の感圧接着剤層
３２  後部フラップ部
３３  第２の感圧接着剤層
３４  第３の感圧接着剤層
４０  包装シート
４１  内面
４２  外面
４３  前縁
４４  後縁
４６  剥離処理部
４７  離型シート
５０  離型シート
６２  後方突出部分
７１  第１の折り部
７２  第１の折り畳み部
７３  接着剤
７３ａ  接着部
７４  第２の折り部
７５  第２の折り畳み部
７６  第３の折り部
７８  側方シール部
８１  リードテープ
【図１】
0003916466.tif 000002
【図２】
0003916466.tif 000003
【図３】
0003916466.tif 000004
【図４】
0003916466.tif 000005
【図５】
0003916466.tif 000006
【図６】
0003916466.tif 000007
【図７】
0003916466.tif 000008
【図８】
0003916466.tif 000009
【図９】
0003916466.tif 000010
【図１０】
0003916466.tif 000011